(57)【要約】      （修正有）【課題】濡れた毛髪に対して良好なパーマ施術を毛髪に悪影響を与えることなく簡略に実行できる濡れた毛髪ストレート・パーマ用ヘアーアイロンを提供する。【解決手段】加熱部１１と取っ手部１２を一直線状配置に具備する上部ロード１０及び下部ロード１０’と、上記上部ロード１０、下部ロード１０’の後端の部分が相互に結合されてヒンジ軸１３ａを中心に回動し、加熱部１１がヒンジ軸１３ａに取り付けた弾力部材１３ｂによって広がるように動作させるヒンジ部１３と、加熱部１１の内側に配置したヒーターの熱エネルギーが伝達されるとともに、弾性部材１５の弾力を受けるように具備される上部ロード１０側及び下部ロード１０’側のそれぞれの加熱板１６と、加熱部１１全体が挿入される挿入溝２１と加熱板１６に密着する平面部２２を持つ非金属加圧部材２０、２０’と、を設けた構成とする。【選択図】図２
0003153008.tif 000002
【実用新案登録請求の範囲】
【請求項１】
加熱部と取っ手部を一直線状配置に具備する上部ロード及び下部ロードと、
上記上部ロード、下部ロードの後端の部分が相互に結合されてヒンジ軸を中心に回動して、上記加熱部がヒンジ軸に取り付けた弾力部材によって広がるように動作させるヒンジ部と、
上記加熱部の内側に配置したヒーターの熱エネルギーが伝達されるとともに、弾性部材の弾力を受けるように具備される上部ロード側及び下部ロード側のそれぞれの加熱板と、
上記加熱部全体が挿入される挿入溝と上記加熱板に密着する平面部を持つ非金属加圧部材と、
を有することを特徴とする濡れた毛髪ストレート・パーマ用ヘアーアイロン。
【請求項２】
前記非金属加圧部材は、挿入溝の内側に突出する凸部が加熱板の後尾部を支えるロードケースの内側に突出した凹部に引っ掛かることによって横方向への離脱が防止されることを特徴とする請求項１記載の濡れた毛髪ストレート・パーマ用ヘアーアイロン。
【請求項３】
前記非金属加圧部材は、挿入溝の先端部・後端部の両側にそれぞれ具備される凸部に加熱部、先端部・後端部のロードケース両側にある凹部が引っ掛かって挿入して円周方向に回動防止されることを特徴とする請求項１記載の濡れた毛髪ストレート・パーマ用ヘアーアイロン。
【請求項４】
前記非金属加圧部材は、耐熱シリコン・ゴムであることを特徴とする請求項１乃至３のいずれかに記載の濡れた毛髪ストレート・パーマ用ヘアーアイロン。
【請求項５】
前記非金属加圧部材に遠赤外線が放出されるセラミック粉体が混合して成型されるようにしたことを特徴とする請求項１乃至４のいずれかに記載の濡れた毛髪ストレート・パーマ用ヘアーアイロン。
【考案の詳細な説明】
【技術分野】
【０００１】
本考案は、濡れた毛髪ストレート・パーマ用ヘアーアイロンに関するもので、詳しくはストレート・パーマ施術の時にヘアーアイロンが持つ性能的なパーマ条件を十分に発揮しながらも、濡れた毛髪でもパーマができるように改善された濡れた髪ストレート・パーマ用ヘアーアイロンに関するものである。
【背景技術】
【０００２】
一般的に現在までのストレート・パーマ用のヘアーアイロンは、毛髪が乾燥された状態で熱エネルギーを与えてパーマ施術を行うようになっていた。
【０００３】
従って、タンパク質が主成分である毛髪に高温の熱エネルギーを与えることにより、毛髪が硬直してしまったり或いは間違えて毛髪が焦げてしまうという不都合が生じており、このような点からストレート・パーマ施術は長い経験を積んだ熟練者が主に施術を行うことが要請される等の種々の問題点を包含している。
【０００４】
更に詳述すると、まず、第１に、最も大きな問題点である毛髪の損傷の点がある。第２に、硬質の熱板に毛髪が直接に接触されるようにした状態でヘアーアイロンを引っ張るパーマ施術を行う時に、乾燥した毛髪と硬質の熱板が接触するため、摩擦力が高まることによってより力を入れてヘアーアイロンを引っ張ることになる。
【０００５】
以上のことから、毛髪の引っ張り応力が小さい場合には、髪の毛が切れてしまう虞があり、更には長時間パーマ施術を行わなければならないという施術者にとって困難なパーマ施術が要請されることになる。
【０００６】
そして、第３は、高温の加熱部が外部にそのまま露出された状態でパーマ施術が行われるため、パーマ施術者がパーマ施術の時に火傷などの怪我に注意しなければならないことやこのような問題により、パーマ施術行為が不自然になることで非効率的にパーマ施術が行われる点である。
【０００７】
第４は、乾燥した毛髪を持ってパーマ施術を行うことに従って、その所要時間が長引かれることにより、施術者と顧客の両方に苦労が発生する点である。
【０００８】
特許文献１には、基端を回動自在に連結して開閉自在に設けた一対のグリップ９と、各グリップ９の先端側に対向して設けた発熱部１１とを備え、各発熱部１１は対向面が平面状を成し、発熱部１１の裏面側には湾曲状を成すカール部１３が設けてあり、少なくとも一方のカール部１３にはカール部１３の曲率と異なる曲率の湾曲面を有する補助ケース１５を脱着自在に設けることにより構成したヘアーアイロンが開示されている。
【０００９】
この特許文献１の場合においても、発熱部１１を直接毛髪に当てパーマ施術を行なうものであり、パーマ施術者が施術の時に火傷などの怪我に注意しなければならないことなどの問題を包含している。
【先行技術文献】
【特許文献】
【００１０】
【特許文献１】特開２００９−５０６８１号公報
【考案の概要】
【考案が解決しようとする課題】
【００１１】
本考案が解決しようとする問題点は、濡れた毛髪に対して良好なパーマ施術を毛髪に悪影響を与えることなく簡略に実行できる濡れた毛髪ストレート・パーマ用ヘアーアイロンが存在しない点である。
【課題を解決するための手段】
【００１２】
本考案に係る濡れた毛髪ストレート・パーマ用ヘアーアイロンは、加熱部と取っ手部を一直線状配置に具備する上部ロード及び下部ロードと、上記上部ロード、下部ロードの後端の部分が相互に結合されてヒンジ軸を中心に回動し、上記加熱部がヒンジ軸に取り付けた弾力部材によって広がるように動作させるヒンジ部と、上記加熱部の内側に配置したヒーターの熱エネルギーが伝達されるとともに、弾性部材の弾力を受けるように具備される上部ロード側及び下部ロード側のそれぞれの加熱板と、上記加熱部全体が挿入される挿入溝と上記加熱板に密着する平面部を持つ非金属加圧部材と、を有することを最も主要な特徴とする。
【考案の効果】
【００１３】
本考案によれば、水気や湿気及び薬剤などが加熱部の内部に浸透しないようにするとともに加熱部に濡れた毛髪が接触しても瞬間蒸発現象を無くすことができ、濡れた毛髪に熱エネルギーを与えてパーマができる効果を奏し、また、濡れた毛髪を対象に毛髪に損傷を与えないストレート・パーマを施術可能な濡れた髪ストレート・パーマ用ヘアーアイロンを実現し提供することができる。
【００１４】
更にまた、本考案によれば、苦労せずにパーマ施術が実行できるとともに、非熟練者でも容易にストレート・パーマ施術を実行できる濡れた髪ストレート・パーマ用ヘアーアイロンを実現し提供することができる。
【図面の簡単な説明】
【００１５】
【図１】図１は本考案の実施例に係るヘアーアイロンの一部分解斜視図である。
【図２】図２は本実施例に係るヘアーアイロンの要部断面構成図である。
【図３】図３は本実施例に係るヘアーアイロンにおける加熱部によるパーマ施術状態を示す拡大断面図である。
【図４】図４は図３のＹ−Ｙ’線断面から見た非金属加圧部材の毛髪加熱状態を示す説明図である。
【考案を実施するための形態】
【００１６】
本考案は、濡れた毛髪に対して良好なパーマ施術を毛髪に悪影響を与えることなく簡略に実行できる濡れた毛髪ストレート・パーマ用ヘアーアイロンを実現し提供するという目的を、加熱部と取っ手部を一直線状配置に具備する上部ロード及び下部ロードと、上記上部ロード、下部ロードの後端の部分が相互に結合されてヒンジ軸を中心に回動し、上記加熱部がヒンジ軸に取り付けた弾力部材によって広がるように動作させるヒンジ部と、上記加熱部の内側に配置したヒーターの熱エネルギーが伝達されるとともに、弾性部材の弾力を受けるように具備される上部ロード側及び下部ロード側のそれぞれの加熱板と、上記加熱部全体が挿入される挿入溝と上記加熱板に密着する平面部を持つ耐熱シリコン・ゴムからなる非金属加圧部材と、を有する構成により実現した。
【実施例】
【００１７】
以下に、本考案の実施例に係る濡れた毛髪ストレート・パーマ用ヘアーアイロンについて図面を参照して説明する。
【００１８】
図１は、本実施例に係るヘアーアイロンの一部分解斜視図であり、図２は一部断面図、図３は加熱部の拡大断面図、図４は図３のＹ−Ｙ’線拡大断面による非金属加圧部材による毛髪加熱状態の説明図である。
【００１９】
図１乃至図３に示すように、本実施例に係るヘアーアイロンは、加熱部１１と取っ手部１２とを一直線状に具備するそれぞれの長い上部ロード１０と下部ロード１０’を具備する。
【００２０】
また、上記上部ロード１０、下部ロード１０’には、後端部が相互結合してヒンジ軸１３ａを中心に回動し、上記加熱部１１がヒンジ軸１３ａに取り付けた弾力部材１３ｂによって広がるように動作させるヒンジ部１３を具備する。
【００２１】
そして、上記加熱部１１の内側に設けたヒーター１４の熱エネルギーを伝達されて、また、内側に設けた弾性部材１５の弾力を受けるように具備された加熱板１６を具備している。
【００２２】
上記加熱板１６は、図示しない商用電源に接続する電線コード３０から供給される電気エネルギーによって発熱するヒーター１４の熱エネルギーが伝達されることにより加熱される。
【００２３】
また、本実施例に係るヘアーアイロンは、上記加熱部１１全体が挿入される挿入溝２１と加熱板１６に密着する平面部２２を持つ長い形態の非金属加圧部材２０、２０’を具備する。
【００２４】
上記非金属加圧部材２０、２０’は、後端側に挿入溝２１の内側に突出した凸部２３を具備しており、上記挿入溝２１の先端部、後端部の両側にはそれぞれの凹部２４、２４’を持つように構成されている。
【００２５】
上記非金属加圧部材２０、２０’は、耐熱シリコン・ゴムで成型することより、材質特性上での弾性を持つ。遠赤外線が放出
【００２６】
また、上記非金属加圧部材２０、２０’は、耐熱シリコン・ゴムで成型する時に例えば加熱により遠赤外線を放出する粉状のセラミック体２５を混合して成型すると、セラミックの材質特性上で強度が大きくなるため、非金属加圧部材２０、２０’自体が弾性を持ちながら強度が増強する構成としている。
【００２７】
従って、本実施例に係るヘアーアイロンは、上部ロード１０と下部ロード１０’の各加熱部１１にそれぞれの非金属加圧部材２０、２０’が結合するように構成される。
【００２８】
それ故に、加熱部１１には、加熱板１６の後端部を支えるロードケース１７内側に凹部１８を具備し、上記加熱板１６の先端部側、後端部側のロードケース１７両側にそれぞれの凸部１９、１９’を具備するように構成される。
【００２９】
従って、それぞれの非金属加圧部材２０、２０’は、挿入溝２１で加熱部１１が強制的に入れるように結合される。
【００３０】
この時、図２に示すように、挿入溝２１内側に突出する凸部２３が、加熱板１６の後端部を支えるロードケース１７内側に突出した凹部１８に引っ掛かることによって強制的ではなければ、非金属加圧部材２０、２０’が加熱部１１から離脱することが出来ないようにしている。
【００３１】
また、非金属加圧部材２０、２０’がそれぞれの加熱部１１に結合される時に、図３に示すように挿入溝２１の先端部、後端部の両側にそれぞれ具備される凹部２４、２４’に加熱部１１の先端部、後端部のロードケース１７両側にある凸部１９、１９’がそれぞれに挿入して引っ掛かって結合される。
【００３２】
従って、上部ロード１０、下部ロード１０’の加熱部１１に、それぞれの非金属加圧部材２０、２０’が包まれるように結合されているため、ヒーター１４から発生した熱エネルギーが加熱板１６に伝達して加熱板１６の熱エネルギーは平面部２２に伝達される状態になる。
【００３３】
従って、毛髪ｈが非金属加圧部材２０、２０’の加熱された平面部２２の間に挟まれて加圧され、接触する状態になると、毛髪ｈに熱エネルギーが与えられてパーマ施術が行われるようになる。
また、耐熱シリコン・ゴムは各種の酸や塩基、塩類などの極性有機化合物に優秀な耐性を持つ耐薬品性が優秀であるため、パーマ薬剤などから何の影響も受けないことや、−５０℃から２５０℃にわたった幅広い温度範囲で圧縮と変形に対して優秀な復元性を持つこと、繰り返し的な外力に対して８−２０倍の優秀な耐久性があり、非金属加圧部材２０、２０’自体の弾性も非常に優れた特性がある。
【００３４】
従って、非金属加圧部材２０、２０’に毛髪ｈが接触しても何の悪影響も受けず、良好なパーマ施術を実行できる。
【００３５】
図３を参照すると、ヒーター１４で発熱した熱エネルギーは、加熱板１６に伝達された後に非金属加圧部材２０、２０’にそれぞれ伝達して加熱される。
【００３６】
この時、ヒーター１４の熱エネルギーが加熱板１６にふれて非金属加圧部材２０、２０’に伝達されるため、非金属加圧部材２０、２０’は非金属の材質特性上の潜熱を持つ状態で加熱される状態になり、その潜熱が毛髪ｈに伝達されてパーマ施術ができるのである。
【００３７】
従って、パーマ施術時に非金属加圧部材２０、２０’に濡れた毛髪ｈが接触しても瞬間蒸気発生のない状態で毛髪ｈに熱エネルギーが伝達されてパーマができるのである。
【００３８】
従来におけるパーマ施術では、金属で製造された加熱板１６に濡れた毛髪ｈが接触すると、加熱板１６表面が濡れた毛髪が触れた瞬間に蒸気が発生する瞬間蒸発現象が起こるので、パーマ施術が困難であった。このような理由によってこれまでは乾燥した毛髪ｈの状態でパーマ施術が行われたのである。
【００３９】
しかし、本実施例に係るヘアーアイロンにおいては、非金属加圧部材２０、２０’に濡れた毛髪ｈが接触しても瞬間蒸発現象が起こらないため、濡れた毛髪ｈ状態でパーマ用の薬剤を塗った後、すぐにパーマ施術が可能になる。
【００４０】
そして、ストレート・パーマ施術を行う時にも、図３に示すように、上部ロード１０、下部ロード１０’にある各加熱部１１の間に、毛髪ｈが挟まられるようにして強く加圧しながら一側面に移動させる施術を行うことができる。
【００４１】
この時、本実施例に係るヘアーアイロンにおいては、毛髪ｈの濡れた状態が非金属加圧部材２０、２０’との間で上手く滑れるようになるため、強く毛髪ｈを加圧し、一側方向にヘアーアイロンを引っ張る施術の際に苦労することなく当該施術を実行することができるのである。
【００４２】
また、加熱部１１の間に、毛髪ｈを挟んで強く加圧しながら一側に移動させる施術を行う時には、毛髪ｈと非金属加圧部材２０、２０’との間の摩擦力によってロードケース１７で非金属加圧部材２０、２０’が空回りする虞があるが、本実施例においては、ロードケース１７の両側にある凸部１９、１９’が非金属加圧部材２０、２０’の凹部２４、２４’に引っ掛かることになっているため、非金属加圧部材２０、２０’が円周方向に回動しないようになり、各平面部２２に毛髪ｈが接触して加圧される状態を良好に維持しながらパーマ施術を実行できることになる。
【００４３】
また、セラミック体２５は、熱を受けると遠赤外線が放出されることから、非金属加圧部材２０、２０’が加熱されると、これにともない遠赤外線が毛髪ｈに照射される。
【００４４】
従って、毛髪ｈに遠赤外線が照射されると、毛髪ｈ自体に対して遠赤外線が透過されることになり、毛髪ｈの奥深くまで遠赤外線が浸透することになる。
【００４５】
この結果、毛髪ｈ表面では非金属加圧部材２０、２０’によって加熱され、毛髪ｈ内部では遠赤外線によって加熱される状態になるため、毛髪ｈがより迅速に加熱され、より迅速なパーマ施術を実行できるとともに毛髪ｈの髪質維持にも役に立つのである。
【００４６】
また、前記非金属加圧部材２０、２０’は、挿入溝２１の一側が詰まったチューブ型であり、加熱部１１を完全に包むように結合されているため、濡れた毛髪ｈにある湿気やパーマ液剤が加熱部１１の内側に浸透することを完全に遮断することができる。
【００４７】
従って、本実施例のヘアーアイロンによれば、水気や湿気及び薬剤などが加熱部１１の内側に浸透できなくすると同時に非金属加圧部材２０、２０’に濡れた毛髪ｈが接触しても瞬間蒸発現象が起こらないため、濡れた毛髪に熱エネルギーを与えてパーマができるのであり、それによって濡れた毛髪状態で加熱することにより、毛髪の損傷を未然に防げるのである。
【００４８】
また、本実施例では、ヘアーアイロンを引っ張りながらパーマ施術を行う行為を苦労せずにさせるだけではなく、濡れた毛髪ｈの状態でパーマ施術を行うため、毛髪ｈの損傷を無くすことができ施術者が高熟練者ではなくても容易に良好なパーマ施術を実行できるのである。
【産業上の利用可能性】
【００４９】
本考案は、上述した実施例に限定されるものではなく、この技術分野で通常の知識を持つ者によって多様に変形実施され得るものであり、本考案の技術思想と請求範囲を大きく外れない限り、幅広く適用され、保護されることは自明なことである。更にまた、本考案は、犬等のようなペット類の毛用のヘアーアイロンとしても広範に応用可能である。
【符号の説明】
【００５０】
１０    上部ロード
１０’  下部ロード
１１    加熱部
１２    取っ手部
１３    ヒンジ部
１３ａ  ヒンジ軸
１３ｂ  弾力部材
１４    ヒーター
１５    弾性部材
１６    加熱板
１７    ロードケース
１８    凹部
１９    凸部
１９’  凸部
２０    非金属加圧部材
２０’  非金属加圧部材
２１    挿入溝
２２    平面部
２３    凸部
２４    凹部
２４’  凹部
２５    セラミック体
３０    電線コード
ｈ    毛髪
【図１】
0003153008.tif 000003
【図２】
0003153008.tif 000004
【図３】
0003153008.tif 000005
【図４】
0003153008.tif 000006